(57)【特許請求の範囲】
【請求項１】
流体レギュレータに用いられる装置であって、
前記流体レギュレータを流れる流体の流れを制御するためのケージと、
前記流体レギュレータ内に取り付けられ、流体オリフィスが形成された弁座リングとを備えており、
該弁座リングが、
前記弁座リングを前記ケージに着脱可能に結合する第一の肩部と、
前記第一の肩部と前記流体オリフィスに隣接する前記弁座リングのシール面との間に位置する第二の肩部とを有し、
前記第一の肩部および前記第二の肩部が、前記弁座リングの長手方向の軸に沿って間隔をおいて設けられており、
前記弁座リングと前記ケージ同士とが、締まりばめ、ネジ、取り付けネジまたはロールピンのうちの少なくとも一つによって着脱可能に結合されてなる、装置。
【請求項２】
前記第一のケージとは異なる少なくとも一つの他のケージをさらに備えており、該他のケージが前記弁座リングに着脱可能に結合されてなる、請求項１に記載の装置。
【請求項３】
前記第一の弁座リングとは異なる少なくとも一つの他の弁座リングをさらに備えており、該他の弁座リングが、前記ケージに着脱可能に結合されてなる、請求項２に記載の装置。
【請求項４】
前記ケージが、少なくとも音響トリムまたは特徴付けトリムを有してなる、請求項３に記載の装置。
【請求項５】
前記第一の弁座リングおよび前記他の弁座リングが、少なくともストレーナ付き弁座リングまたは絞り付き弁座リングを有してなる、請求項４に記載の装置。
【請求項６】
流体レギュレータであって、
レギュレータ弁箱と、
前記弁箱内に配設され、流体オリフィスが形成されている第一の流れ特性を提供する第一の弁座リングと、
前記第一の弁座リングと着脱可能に結合されている第三の流れ特性を提供する第一のケージとを備えており、
前記第一の弁座リングが、前記第一の流れ特性とは異なる第二の流れ特性を提供する第二の弁座リングと交換可能となっており、
前記第一のケージが、前記第三の流れ特性とは異なる第四の流体流れ特性を提供する第二のケージと交換可能となっており、
前記第一のケージを前記第一の弁座リングまたは前記第二の弁座リングに選択的に結合することができ、前記第一の弁座リングを前記第一のケージまたは前記第二のケージに選択的に結合することができるように構成されており、
前記第一の弁座リングが、前記第一のケージを受けて該第一のケージを前記レギュレータ弁箱と整列させる第一の肩部を有し、
前記第一の弁座リングが、前記第一の肩部と前記流体オリフィスに隣接する前記第一の弁座リングのシール面との間に位置する第二の肩部を有し、
前記第一の肩部および前記第二の肩部が前記第一の弁座リングの長手方向の軸に沿って間隔をおいて設けられており、
前記第一の弁座リングが、締まりばめ、ネジ、取り付けネジまたはロールピンのうちの少なくとも一つによって前記第一のケージに結合されてなる、流体レギュレータ。
【請求項７】
前記レギュレータ弁箱と前記第一の弁座リングとの間をシールするための少なくとも一つのｏ―リングをさらに備えてなる、請求項６に記載の流体レギュレータ。
【請求項８】
前記第一の弁座リングの前記第一の流体流れ特性が、前記第二の弁座リングにより提供される前記第二の流れ特性よりも前記レギュレータの前記オリフィスの前後においてより大きな流体圧力降下を提供してなる、請求項６に記載の流体レギュレータ、
【請求項９】
前記第一のケージの前記第三の流れ特性が前記レギュレータを流れる流体の速度を下げることであり、前記第二のケージの前記第四の流体流れ特性が、前記レギュレータを流れる流体の圧力を下げることである、請求項６に記載の流体レギュレータ。
【請求項１０】
流体レギュレータに用いられる複数の異なるケージと、
前記流体レギュレータに用いられる複数の異なる弁座リングとを備えており、
前記ケージの各々が前記弁座リングの各々と着脱可能に結合されおり、
前記複数の異なる弁座リングの各々が、前記複数の異なるケージの各々を受けて前記複数の異なるケージを前記レギュレータ弁箱と整列させる第一の肩部を有し、
前記複数の異なる弁座リングの各々が、前記第一の肩部と前記弁座リングの流体オリフィスに隣接する前記弁座リングのシール面との間に位置する第二の肩部を有し、
前記第一の肩部および前記第二の肩部が前記複数の異なる弁座リングの各々の長手方向の軸に沿って間隔をおいて設けられており、
前記複数の異なる弁座リングの各々が、締まりばめ、ネジ、取り付けネジまたはロールピンのうちの少なくとも一つによって、前記複数の異なるケージの各々に着脱可能に結合されてなる、装置。
【請求項１１】
流体レギュレータであって、
レギュレータ弁箱と、
複数の弁座リングから選択され、流体オリフィスが形成された前記弁箱内に配設される弁座リングと、
複数のケージから選択され、前記弁座リングに着脱可能に結合されたケージとを備えており、
前記複数の弁座リングから選択された第一の弁座リングが、前記複数の弁座リングのうちの第二の弁座リングにより提供される第二の前もって決められた流れ特性とは異なる第一の前もって決められた流れ特性を提供するように構成されており、
前記複数のケージから選択された第一のケージが、前記複数のケージの第二のケージにより提供される第二の前もって決められた流れ特性とは異なる第一の前もって決められた流体特性を提供するように構成されており、
前記第一の弁座リングが、前記第一のケージを受けて該第一のケージを前記レギュレータ弁箱と整列させる第一の肩部を有し、
前記第一の弁座リングが、前記第一の肩部と前記流体オリフィスに隣接する前記第一の弁座リングのシール面との間に位置する第二の肩部を有し、
前記第一の肩部および前記第二の肩部が前記第一の弁座リングの長手方向の軸に沿って間隔をおいて設けられており、
前記第一の弁座リングが、締まりばめ、ネジ、取り付けネジまたはロールピンのうちの少なくとも一つによって前記第一のケージに結合されてなる、流体レギュレータ。
【発明の詳細な説明】
【技術分野】
【０００１】
本発明は、一般的に流体レギュレータに関するものであり、とくに流体レギュレータに用いられる２ピーストリムに関するものである。
【０００２】
本出願は、２００７年４月１８日に出願された米国仮特許出願第６０／９１２，６０１号の優先権を主張し、当該米国仮特許出願の全内容を本明細書において参照することにより援用するものである。
【背景技術】
【０００３】
プロセス制御システムでは、プロセスパラメータを制御するためにさまざまなフィールドデバイスが用いられる。さまざまな流体（たとえば、液体、ガスなど）の流量および／または圧力を制御するために、流体用の弁およびレギュレータがプロセス制御システム全体にわたって分布されているのが一般的である。具体的にいえば、流体レギュレータは、典型的には流体の圧力を実質的に一定の値に調節するために用いられている。詳細にいえば、流体レギュレータは、典型的には、比較的高い圧力で供給流体を受け取る流入口を備えており、流出口で比較的低い圧力でかつほぼ一定の圧力で供給するようになっている。たとえば、一台の装置（ボイラーなど）に接続されているガスレギュレータは、ガス分配源から比較的高いかつ多少変化する圧力を有するガスを受け取り、当該装置による安全かつ効率的な使用に適した低いほぼ一定の圧力にガスを調整しうる。
【０００４】
典型的には、流体レギュレータは、ダイヤフラムを用いて流体の流れおよび圧力を制御している。このダイヤフラムは、設定圧力または制御圧力が付勢バネによってその複数の側面のうちの一方に加えられるようになっている。 また、ダイヤフラムは、レギュレータの流入口をその流出口に連通させる弁座リングのオリフィスに対して移動される弁体に直接にまたはリンク部材（たとえば、レバー）によって結合されている。ダイヤフラムは、流出口圧力と設定圧力または制御圧力との間の差に応じて弁体を移動させ、弁体により加えられている流れに対する絞りを変え、ほぼ一定の流出口圧力を実現するようになっている。また、この流出口圧力は、設定圧力または制御圧力と等しいまたは比例するバランス力をダイヤフラムの他方の側面に加えるようになっている。
【０００５】
弁座リングに加えて、ほとんどの流体レギュレータは、流体レギュレータの流路の流入口と流出口との間に介在するケージを有したトリムを備え、ある流体流れ特性を提供するようになっている。たとえば、ケージによっては、流れる流体に付随する騒音を下げるために曲がりくねった流路または他のタイプの流路を提供するように設計されているものもある。このような騒音を抑制するケージは、一般的に騒音トリムと呼ばれ、レギュレータが人々（たとえば、家の住人やビルの住人）の直ぐ近くに位置するような用途において特に有効となる。レギュレータトリムの他の設計では、個々の制御用途のニーズに適した流体流れ特性またはレギュレータ特性を備えたケージが提供される。たとえば、このようなケージは、ある所望の流体流れ対圧力降下特性を提供するように構成されうる。さらに、レギュレータトリムの設計によっては、異なるタイプの弁座または弁座リングを提供するものもある。たとえば、絞りのもっと多い弁座（すなわち、ある与えられた流体の流量において比較的大きな圧力降下を提供する弁座）を提供するようにまたは絞りのもっと少ない弁座（すなわち、ある与えられた流量において比較的小さな圧力降下を提供する弁座））を提供するようにオリフィスのサイズが変えられてもよい。
【０００６】
しかしながら、ケージを用いている公知のレギュレータトリムについていえば、一体式のまたは１ピースの構造体としてケージおよび弁座リングが提供されていることが一般的である。このような一体式のまたは１ピースのトリム構造を用いることにより、複数の構成部材を用いた場合に生じうる許容誤差の累積という可能性が排除されることになる。具体的にいえば、レギュレータ弁箱に対するケージの位置合せが、複数の個別のトリム構成部材の許容誤差が累積によって危険にさらされることになる。さらに、このような公知の一体式のまたは１ピースのトリムにより、一部の鉛直方向の用途（たとえば、ボンネットが鉛直方向に向いているまたは下方に向いている用途）にレギュレータを用いることができるようになる。このような鉛直方向の用途では、レギュレータトリムを修理（たとえば、交換）する場合、トリムが一体式の構造または１ピース構造でなければ、交換トリムを設置することが非常に困難なもの、さらにいえば不可能なものとなる。具体的にいえば、複数のトリム構成部材を設置（たとえば、積層）すると、第二の構成部材を第一の構成部材の上に設置する間に最初に設置した構成部材が所望の設置位置および／またはレギュレータ弁箱から落下（すなわち、下方に向けて落下）することになる。
【０００７】
さらに他の公知のレギュレータトリムの構造では、弁座リングだけ（すなわち、一体構造のケージなしの弁座リング）が設けられており、この弁座リングは、ピンによってレギュレータ内の適所に保持されるようになっている。公知のこのような構造は、フィッシャーコントロールズインターナショナルＬＬＣ（ＦｉｓｈｅｒＣｏｎｔｒｏｌｓ  Ｉｎｔｅｒｎａｔｉｏｎａｌ  ＬＬＣ）社により製造されているＥＺＨレギュレータおよびＥＺＬレギュレータという製品に見られる。
【発明の概要】
【課題を解決するための手段】
【０００８】
一実施形態では、流体レギュレータは、レギュレータ弁箱と、この弁箱内に配置され、流体オリフィスが形成される弁座リングと、この弁座リングに着脱可能に結合されているケージとを備えている。
【０００９】
他の実施形態では、流体レギュレータに用いられる装置は、流体レギュレータを流れる流体の流れを制御するためのケージと、ガスレギュレータ内に取り付けられ、弁座リングが形成されている弁座リングとを備えている。この弁座リングは、弁座リングをケージに着脱可能に結合する第一の肩部と、流体オリフィスに隣接する弁座リングのシール面と第一の肩部との間にある第二の肩部とを有している。
【００１０】
他の実施形態では、装置は、流体レギュレータに用いられる複数の異なるケージと、流体レギュレータに用いられる複数の異なる弁座リングとを備えている。各ケージは、各弁座リングに着脱可能に結合されている、
【図面の簡単な説明】
【００１１】
【図１】公知の流体レギュレータを示す断面図である。
【図１Ａ】図１の公知の流体レギュレータの一部を示す拡大断面図である。
【図２】流体レギュレータに用いられる２ピーストリム組立体の一例である。
【図３】図２の２ピーストリム組立体の一例を示す拡大断面図である。
【図４】図３の弁座リングの一例を示す拡大断面図である。
【図５】２ピーストリムの一例が組み込まれた流体レギュレータを示す断面図である。
【図５Ａ】図５の流体レギュレータの一部を示す拡大断面図である。
【図６】２ピーストリムの一例を具象化するために用いられうる騒音防止ケージの一例を示す斜視図である。
【図７】２ピーストリムの一例を具象化するために用いられうる特徴付きケージの一例を示す斜視図である。
【図８】２ピーストリムの一例を具象化するために用いられうる絞り付き弁座の一例を示す斜視図である。
【図９】２ピーストリムの一例を具象化するために用いられうるストレーナ付き弁座の一例を示す斜視図である。
【発明を実施するための形態】
【００１２】
本明細書に記載の流体レギュレータトリムの一例は、複数のタイプの弁座リングとケージとの間の交換を可能とする２ピースレギュレータトリム構造を備えている。本明細書に記載の２ピースレギュレータトリム構造により提供される交換可能性により、流体レギュレータに対するさまざまなトリム構造の提供に必要となる構成部材の数が少なくなる。換言すれば、本明細書に記載の流体レギュレータトリムの場合、公知の一体化トリム設計または１ピーストリム設計において通常必要な、弁座構造とケージ構造との考えうる組み合わせの各々の製造する必要が無く、および、在庫品目への記入を行う必要がなくなる。より正確にいえば、交換可能な弁座リングとケージ構成部材とを製造して備蓄しておく必要があるだけで、個々の用途に合わせておよび必要に応じて、これらの構成部材をいろいろ組み合わせればよいことになる。
【００１３】
本明細書に記載の流体レギュレータ用の２ピーストリムは、相互に着脱可能に結合することができるケージおよび弁座リングを備えている。ケージおよび弁座リングの正確な位置合わせを容易にするために、本明細書に記載の例示の弁座リングは、ケージを受ける第一のまたは外側の肩部を有する段部を有している。例示の弁座リングは、第一の肩部と弁座リングのオリフィスに隣接するシール面との間に第二のまたは内側の肩部を有している。第二の肩部は、第一の肩部とは異なる高さに位置に設けられて弁座リング上に円周方向の段部すなわち壁部を形成することにより、ケージと弁座リングとの正確な位置合わせを容易なものとするようになっている。換言すれば、本明細書に記載の例示の弁座リングの段構造により、（たとえば、許容誤差の累積の結果、）流体レギュレータの動作に対して悪い影響を与えうる状態が実質的に最小限に抑えられるまたは排除されることとなる。
【００１４】
さらに、本明細書に記載の例示の弁座リングおよびケージは、とくに垂直方向の用途（たとえば、レギュレータボンネットまたはアクチュエータの上側ケースが下方に向いている場合）において、レギュレータトリムの現場での修理（たとえば。交換、修理など）を容易にするよう着脱可能に結合されうる。さらに詳細にいえば、例示の弁座リングおよびケージは、交換作業時または修理作業時にケージおよび弁座リングがレギュレータから分離または落下しないようにするために、グリース（たとえば、第一の肩部に塗布）、締まりばめ、ネジなどを用いて、着脱可能に結合（たとえば、着脱可能に相互に保持）されうる。
【００１５】
２ピーストリムの一例について詳細に記載する前に、公知の流体レギュレータ１００を図１および図１Ａを参照しながら簡単に説明する。図１および図１Ａに示されているように、流体レギュレータ１００は、弁１０４に作用可能に結合されているアクチュエータ１０２を備えている。アクチュエータ１０２は、上側アクチュエータケース１０６と下側アクチュエータケース１０８とを有している。アクチュエータケース１０６、１０８は、ダイヤフラム板１１０、１１２を有しており、これらのダイヤフラム板は、弁棒１１６と作用可能に係合しているダイヤフラム１１４を保持している。また、ダイヤフラム１１４は、図１に示されているように、ケース１０６とケース１０８との間に狭持されるようになっている。
【００１６】
下側アクチュエータケース１０８は、流入口１２０と流出口１２２とを有した弁箱１１８に取り付けられている。弁座リング１２４は、弁箱１１８に取り付けられ、オリフィス１２６を形成している。流体は、このオリフィスを通り抜けて、流入口１２０から流出口１２２へと流れうるようになっている。弁棒１１６の端部に取り付けられた弁体１２８はシールリング１３０を有している。シールリング１３０は、弁棒１１６および弁体１２８がオリフィス１２６の方に向けて移動させられるとき、弁座リング１２４のシール面１３２とシールを形成して係合されるエラストマ材料からなっていてもよい。公知になっているように、弁体１２８、すなわちシールリング１３０のオリフィス１２６の方向に向かう（たとえば、シール面１３２の方向に向かうもしくはシール面１３２と接触する）またはオリフィス１２６とは反対側に向かう（たとえば、シール面１３２とは反対側に向かうもしくは離脱する）動作は、ダイヤフラム１１４の両側の圧力差によって引き起こされる。この圧力差は、流出口１２２における実際の圧力と流出口１２２における所望の圧力との間の差に比例している。
【００１７】
スペーサまたはピン１３４は下側アクチュエータケース１０８に結合されている。図１Ａに最も分かりやすく示されているように、ピン１３４の端部１３６は、弁座リング１２４の肩部１３８に接触して、弁座リング１２４と弁箱１１８との間にシールを形成するのに十分足りるｏ−リング１４０の変位を引き起こすよう弁箱１１８内の適切な位置に弁座リング１２４を保持するようになっている。図１および図１Ａには示されていないが、このような複数のピン１３４を弁座リング１２４の周面に円周方向に沿って間隔をおいて設け、弁箱１１８と堅固に接触するように弁座リング１２４を保持し、ｏ−リング１４０に対して実質的に均一なシール力を加えるようにしてもよい。
【００１８】
図２には、流体レギュレータに用いられる例示の２ピーストリム組立体２００が示されている。２ピーストリム組立体２００はケージ２０２と弁座リング２０４とを備えている。下記に詳細に記載するように、公知になっている一体式の流体弁のトリム組立体とは対照的に、ケージ２０２は、弁座リング２０４と着脱可能に結合されることにより、ケージおよび弁座リングの間での交換、すなわちケージおよび弁座リングのさまざまな組み合わせを容易にしうる。たとえば、流体レギュレータに対する所望の流れ特性および／または他の性能特性を達成するため、たとえばケージ２０２、６００（図６）、７００（図７）の如き本明細書に記載の例示のケージのうちのいずれのケージが、弁座リング２０４、８００（図８）、９００（図９）の如き本明細書に記載の弁座リングのうちのいずれの弁座リングと結合されてもよい。これに加えて、本明細書に記載の例示のケージおよび弁座リングを着脱可能に結合することができるため、これらの構成部材の現場での修理（たとえば、流体レギュレータの流れ特性または他の性能特性の変更、これらの構成部材のうちの一または複数の修理など）が簡単なものとなる。とくに、修理作業時に複数のトリム構成部材が積み重ねられ、流体レギュレータから落下してくる恐れのある鉛直方向の用途において簡単なものとなる。
【００１９】
図３は、図２に示されている例示の２ピーストリム組立体２００を示す拡大断面図であり、図４は、図２および図３に示されている例示の弁座リング２０４を示す拡大断面図である。例示の弁座リング２０４には、レギュレータの流入口からの流体がレギュレータの流出口へと流れる際に通り抜けるオリフィス３００が形成されている。弁座リング２０４は、ケージ２０２の端部３０４を受けてケージ２０２をオリフィス３００およびレギュレータの弁箱と整列させる（たとえば、図５に示されているような）第一の肩部３０２を備えている。弁座リング２０４は、第一の肩部３０２と、流体オリフィス３００に隣接する弁座リング２０４のシール面３０８との間に第二の肩部３０６を有している。第一の肩部３０２と第二の肩部３０６とは、弁座リング２０４の長手方向の軸（ｌｏｎｇｉｔｕｄｉｎａｌ  ａｘｉｓ）３１０に沿って間隔をおいて設けられている。さらに詳細には、図３および図４の実施形態では、第二の肩部３０６は段部である円周方向の壁３１２によって、第一の肩部３０２から間隔をおいて設けられている。
【００２０】
段部である壁３１２は、弁座リング２０４へのケージ２０２の位置合わせおよび着脱可能な結合を容易にするように構成されている。たとえば、ケージ２０２の内壁３１４は、段部である壁３１２に対して近接するかまたは当接するような寸法または構造に形成されてもよい。具体的にいえば、段部である壁３１２および内壁３１４は、ケージ２０２の内壁３１４と段部である壁３１２との間に締まりばめまたは圧入されるような寸法に形成されてもよいしまたは形状もしくは幾何形状を有していてもよい。たとえばケージ２０２の少なくとも一部が、非円形状である、真ん丸ではない等々のようにケージ２０２を製造することによってこのような締まりばめまたは圧入を達成することができる。このように、段部である壁３１２がほぼ円形状であり、ケージ２０２の非円形状部分またはまんまるではない部分（たとえば、内壁３１４）がほぼ円形状に弾性変形する場合、内壁３１４の少なくとも一部分が段部である壁３１２にしっかりと係合し、弁座リング２０２の端部３０４が肩部３０２に係合するまたは他の方法で結合されるよう、ケージ２０２とを弁座リング２０２に結合（たとえば、圧接）することができる。これに代えて、ケージ２０２および弁座リング２０４は、同様のまたは同一の非円形状（たとえば、わずかに楕円形状）の形状を有するように製造してもよく、こうすることにより、ケージ２０２と弁座リング２０４の非円形状部分とを整列させたとき、まず、ケージ２０２を弁座リング２０４に緩く係合させることができる（たとえば、弁座リング２０４上に無理やりケージ２０２を押すつけることを必要とすることなく、ケージ２０２の端部３０４を肩部３０２に載置することができる）。次いで、ケージ２０２および弁座リング２０４を相互に回転させることにより、内壁３１４の少なくとも一部分を壁３１２に締まりばめする（たとえば、留める）ことができる。この場合、ケージ２０２および弁座リング２０４を回転させ段部３１２または壁３１２と内壁３１４との間の締まりまたは拘束を解除して弁座リング２０４からケージ２０２を引き離すことにより、ケージ２０２および弁座リング２０４を分離することができる。さらに他の実施形態では、段部である壁の３１２がほぼ円形状またはシリンダ形状を有しかつ第一の直径を有し、内壁３１４もほぼ円形状またはシリンダ形状を有しかつ第一の直径よりも小さな第二の直径を有し、ケージ２０２と弁座リング２０４との間の圧入ができるようになっている。内壁３１４と段部である壁３１２のうちの一方または両方は、ケージ２０２の弁座リング２０４への係合ならびにたとえば本明細書に記載されているもののようなケージ２０２と弁座リング２０４との締まりばめ構造および圧入構造を実現することを容易なものとするためのたとえば面取り部、Ｒ部などの如き導入部を備えうる。弁座リング２０４は、ｏ−リング（たとえば、図５Ａのｏ−リング５０４）を弁箱（たとえば、弁箱１１８）とシールを形成して係合させることにより弁座リング２０４と弁箱との間の流体の漏れを防ぐ傾斜面３１６を有している。
【００２１】
ケージ２０２を弁座リング２０４に着脱可能に結合するために上述の締まりばめ構造および／または圧入構造に加えて用いうる係合構造は他にもまだある。たとえば、ケージ２０２を弁座リング２０４に着脱可能に結合するために接着剤またはグリースが用いられてもよい。ケージ２０２を弁座リング２０４に結合するためにグリースまたは接着剤を用いる場合、結合が比較的緩くなるような（たとえば、締まりばめまたは圧入のないような）サイズにケージ２０２および弁座リング２０４を形成し、肩部３０２、壁３１２、ケージ２０２の端部３０４および／または内壁３１４に接着剤またはグリースを塗布しうる。したがって、ケージ２０２の端部３０４が肩部３０２に載置されると、接着剤またはグリースは、ケージ２０２および弁座リング２０４の合わせ面と合わせ面との間にケージ２０２を弁座リング２０４に着脱可能に保持する層を形成する。
【００２２】
さらに他の実施形態では、ケージ２０２を弁座リング３０２に螺合することができるように内壁３１４および段部である壁３１２をネジ切りしうる。これに代えてまたはこれに加えて、ケージ２０２および弁座リング２０４同士が一または複数の取り付けネジおよび／またはロールピンを用いて着脱可能に結合されてもよい。
【００２３】
図５は、本明細書に記載の２ピーストリムの一例を組み入れた例示の流体レギュレータ５００を示す断面図であり、図５Ａは、図５に示されている流体レギュレータ５００の一部を示す拡大断面図である。図５の流体レギュレータ５００の構成部材のうちのほとんどは、図１の公知の流体レギュレータ１００の構成部材と同様または同一であり、これらの構成部材は、図１で用いられている同一の参照番号を用いて図５に表されている。さらに、図１の構成部材と同様または同一の図５の構成部材の説明はここでは繰り返さない。興味のある読者はそれらの構成部材についての図１の記載を参照されたい。図５Ａから分かるように、弁座リング２０４は、弁座リング２０４と弁箱１１８との間の流体の漏洩を防ぐためにｏ−リング５０４を弁箱１１８とシールを形成して係合する傾斜面５０２を有している。
【００２４】
図６には、本明細書に記載の２ピーストリムを具象化するために用いらうる騒音防止ケージ６００の一例が示されている。具体的にいえば、図５の例示の流体弁５００を流れる流体により生じる騒音を削減するために、前記ケージ２０２に代えてこのケージ６００を用いうる。同様に、ケージ２０２（図２）により提供される流れ特性とは異なる流れ特性（たとえば、ある流れ特性に対する異なる圧力降下）を達成するためにケージ２０２に代えて用いられうる例示の特徴付きケージ７００が示されている。
【００２５】
図８には、本明細書に記載の２ピーストリムを具象化するために用いられうる例示の絞り付き弁座８００が示されている。具体的にいえば、より高い絞り（すなわち、ある与えられた流体流量においてより大きな圧力降下）を備える流体オリフィスを提供するために、弁座リング２０４（図２）に代えて例示の絞り付き弁座８００を用いうる。同様に、図９には、弁座リング２０４（図２）の代わりに用いられうる例示のストレーナ付き弁座９００が示されている。本明細書に記載の２ピーストリムを具象化するために弁座２０４、８００、９００のうちのいずれが用いられうるかに関係なく、弁座リング２０４、８００、９００の各々は、弁座リング２０４、８００、９００のうちの任意の一つとケージ２０２、６００、７００のうちの任意の一つとの間の位置合わせおよび着脱可能な結合の実現を容易にするための第一の肩部および第二の肩部ならびに段部である壁を備えている。
【００２６】
本明細書にいくつかの例示の装置が記載されているが、本発明が網羅する技術的範囲はこれらに限定されるものではない。むしろ、本発明は、文字通りにまたは均等論に従って添付の特許請求の範囲に公正に含まれる装置および製品すべてを網羅するものである。
【図１】
0005436411.tif 000002
【図１Ａ】
0005436411.tif 000003
【図２】
0005436411.tif 000004
【図３】
0005436411.tif 000005
【図４】
0005436411.tif 000006
【図５】
0005436411.tif 000007
【図５Ａ】
0005436411.tif 000008
【図６】
0005436411.tif 000009
【図７】
0005436411.tif 000010
【図８】
0005436411.tif 000011
【図９】
0005436411.tif 000012